(57)【特許請求の範囲】
【請求項１】
感光体と、
同一の前記感光体上に、該感光体の回転方向において隣接する異なる複数の位置を露光する複数の光源と、
前記複数の光源から射出された複数の光が前記回転方向と交差する走査方向に前記感光体を走査するように、前記複数の光を偏向する偏向手段と、
前記偏向手段によって偏向された複数の光によって前記感光体上に形成された静電潜像を現像する現像手段と、
画像データを、該画像データの、前記走査方向に関する位置である走査位置に対応するシフト量に基づき、前記回転方向に対応する方向にシフトするシフト手段と、
前記複数の光源それぞれの走査線の歪み特性から、前記複数の光源それぞれについて、前記走査方向への分割位置および走査位置それぞれに対するシフト量を演算し、前記複数の光源それぞれについて計算された分割位置から、前記複数の光源に対して共通の分割位置を演算し、前記複数の光源それぞれについて演算された走査位置それぞれに対するシフト量および前記共通の分割位置から、前記複数の光源のそれぞれに対して、前記共通の分割位置のうち隣接する分割位置によって定義される分割領域それぞれに対するシフト量を演算する演算手段とを有し、
前記シフト手段は、前記演算手段によって演算された共通の分割位置および前記複数の光源のそれぞれに対して演算された分割領域それぞれに対するシフト量を用いて、前記画像データを前記回転方向に対応する方向にシフトする
ことを特徴とする画像形成装置。
【請求項２】
前記演算手段は、前記複数の光源に対して共通の分割位置として、前記複数の光源それぞれについて計算された分割位置の平均値を演算することを特徴とする請求項１記載の画像形成装置。
【請求項３】
さらに、前記走査線の歪み特性として、複数の走査位置それぞれにおける走査線のずれ量を記憶する記憶手段を有し、
前記演算部は前記複数位置のずれ量と所定の関数とから各走査位置における走査線のずれ量を演算する
ことを特徴とする請求項１または２記載の画像形成装置。
【請求項４】
前記光源の数は２つであることを特徴とする請求項１乃至３のいずれかに記載の画像形成装置。
【請求項５】
前記シフト手段は、前記同一の感光体を露光する全ての光源に対して、前記共通の分割位置を用いることを特徴とする請求項１乃至４のいずれかに記載の画像形成装置。
【発明の詳細な説明】
【技術分野】
【０００１】
本発明は、複数の光源を用いて感光体を露光する画像形成装置に関する。
【背景技術】
【０００２】
近年の電子写真方式の画像形成装置は、画像データに応じて射出されるレーザ光によって感光体に潜像を形成し、感光体上の潜像をトナーにより現像し、感光体上のトナー画像を記録シートに転写する。レーザ光が感光体上に走査される際、レーザ光の光路上に設けられる光学系の組み付け誤差など様々な要因により、感光体上のレーザ光の走査線に湾曲や傾斜などの歪みが生じる。
【０００３】
この走査線の歪みを補正するために、レーザ光の走査線の歪み特性に応じて、走査線の歪みを補正するように画像データをデジタル補正し、補正後の画像データに応じてレーザ光を射出させることが提案されている（特許文献１）。このデジタル補正による歪み補正は、湾曲や傾斜が生じている主走査ラインを複数領域に分割し、感光体上で走査されたときに基準線に乗るように、各領域の画像データを副走査方向にライン単位でシフトさせるものである。
【０００４】
ところで、複数のレーザ光源を備え、各レーザ光源がそれぞれ別のラインを同時に走査して、画像形成が完了するまでの時間を短縮できるようにした画像形成装置が提案されている（特許文献２）。
【先行技術文献】
【特許文献】
【０００５】
【特許文献１】特開２００５−３０４０１１号公報
【特許文献２】特開２００３−３１２０４１号公報
【発明の概要】
【発明が解決しようとする課題】
【０００６】
この複数のレーザ光源を備えた画像形成装置にレーザ光の走査線の歪み補正を適用すると以下の課題が生じる。すなわち、一般的には、複数のレーザ光源からのレーザ光が光学部材を通過する位置がそれぞれ異なるため、複数のレーザ光源の走査線の歪み特性は同一ではない。そのため、複数のレーザ光源の走査線のそれぞれの歪み特性に応じて、それぞれの走査線について個々に分割領域を定め、各分割領域の画像データを副走査方向にライン単位でシフトさせると、画像が部分的に欠落する領域（図８のａ（１）ｂ（１）間）や画像が部分的に太くなる領域（図８のａ（２）ｂ（２）間）が発生してしまい、画質が劣化する。
【課題を解決するための手段】
【０００７】
本発明の画像形成装置は、感光体と、同一の前記感光体上に、該感光体の回転方向において隣接する異なる複数の位置を露光する複数の光源と、前記複数の光源から射出された複数の光が前記回転方向と交差する走査方向に前記感光体を走査するように、前記複数の光を偏向する偏向手段と、前記偏向手段によって偏向された複数の光によって前記感光体上に形成された静電潜像を現像する現像手段と、画像データを、該画像データの、前記走査方向に関する位置である走査位置に対応するシフト量に基づき、前記回転方向に対応する方向にシフトするシフト手段と、前記複数の光源それぞれの走査線の歪み特性から、前記複数の光源それぞれについて、前記走査方向への分割位置および走査位置それぞれに対するシフト量を演算し、前記複数の光源それぞれについて計算された分割位置から、前記複数の光源に対して共通の分割位置を演算し、前記複数の光源それぞれについて演算された走査位置それぞれに対するシフト量および前記共通の分割位置から、前記複数の光源のそれぞれに対して、前記共通の分割位置のうち隣接する分割位置によって定義される分割領域それぞれに対するシフト量を演算する演算手段とを有し、前記シフト手段は、前記演算手段によって演算された共通の分割位置および前記複数の光源のそれぞれに対して演算された分割領域それぞれに対するシフト量を用いて、前記画像データを前記回転方向に対応する方向にシフトすることを特徴とする。
【発明の効果】
【０００８】
本発明によれば、同一の感光体を複数の光源を用いて露光する画像形成装置において、複数の光源のそれぞれに対して光源の歪み特性に応じて画像データをシフトすることにより、画像が部分的に欠落したりや画像が部分的に太くなることを抑制し、高品質な画像を出力できるようにすることができる。
【図面の簡単な説明】
【０００９】
【図１】画像形成装置の断面図。
【図２】レーザユニットの概略構成と理想的な走査線を示す図。
【図３】レーザユニットの概略構成と歪んだ走査線を示す図。
【図４】走査線の歪みを補正する画像処理部のブロック図。
【図５】走査線の歪みを説明する図。
【図６】走査線の歪みの補正を説明する図。
【図７】２つの走査線の歪みと補正を説明する図。
【図８】２つの走査線の歪みと比較例の補正を説明する図。
【図９】２つの走査線の歪みと本実施形態の補正を説明する図。
【図１０】分割位置・シフト量演算部が行う処理のフローチャート。
【発明を実施するための形態】
【００１０】
図１は本発明の実施形態である画像形成装置１００の断面図である。画像形成装置１００は、帯電器８、現像器３、感光体４、クリーナ９などを有するプロセスカートリッジ２０Ｙ（イエロー）、２０Ｍ（マゼンタ）、２０Ｃ（シアン）、２０Ｋ（ブラック）を有する。プロセスカートリッジ２０Ｙ〜２０Ｋ内の帯電器８Ｙ、８Ｍ、８Ｃ、８Ｋはそれぞれ感光体４Ｙ、４Ｍ、４Ｃ、４Ｋの表面を一様に帯電させる。レーザユニット１内のレーザ光源１１（図２参照）は、画像処理部１０８から入力された画像データに応じてレーザ光Ｌを射出する。レーザ光Ｌはレーザユニット１内に配置されたポリゴンミラー１３、レンズ１４、ミラー１５を介して、感光体４Ｙ〜４Ｋ上に走査され、感光体４Ｙ〜４Ｋ上に潜像が形成される。感光体４Ｙ〜４Ｋは矢印Ａの方向に回転する。各プロセスカートリッジ２０Ｙ〜２０Ｋ内の現像器３Ｙ〜３Ｋは、感光体４Ｙ〜４Ｋ上の潜像をそれぞれの色成分のトナーで現像する。
【００１１】
ここで、プロセスカートリッジ２０Ｙによる画像形成過程を具体的に説明する。感光体４Ｙの表面は帯電器８Ｙによって一様に帯電される。次に、イエローの画像データに応じてレーザユニット１により感光体４Ｙ上に露光走査がなされ、イエローの静電潜像が感光体４Ｙに形成される。感光体４Ｙ上の静電潜像はイエロートナーを内包したイエロー現像器３Ｙによって現像される。そして、感光体４Ｙ上のトナー像は、矢印Ｄ方向へ回転駆動される中間転写体５とのニップ部において、中間転写体５上に一次転写される。一次転写の際に中間転写体５に転写されずに感光体４Ｙ上に残ったトナーは、感光体４Ｙに圧接されたクリーナ９Ｙのクリーニングブレードにより掻き取られ、廃トナー容器に回収される。他のプロセスカートリッジ２０Ｍ、２０Ｃ、２０Ｋにおいても上記と同様の工程が行われ、各感光体４上の色成分毎のトナー像が中間転写体５上に順次重ね合わせて転写された後、給紙ユニットから給紙された記録シート６に中間転写体５上の複数色のトナー像が二次転写される。複数色のトナー像が二次転写された記録シート６は、定着器７により定着処理されて排出される。本実施形態では像担持体としての中間転写体５を介して画像を記録シートに転写したが、各感光体４から直接像担持体としての記録シートに転写する構成でもよい。
【００１２】
図２はレーザユニット１の概略構成図である。図２は、各プロセスカートリッジ２０Ｙ〜２０Ｋそれぞれに設けられるレーザユニットの１つを図示する。レーザ光源１１は、２本の走査線を同時に感光体４上に形成するために、感光体４の回転方向の異なる位置にレーザ光を照射する２つのレーザ光源を有している。但し、ここでは説明の簡単化のため、１本の走査線のみ図示している。画像データに応じてレーザ光源１１から射出されたレーザ光Ｌは、ポリゴンミラーモータ１２により回転駆動されるポリゴンミラー（回転多面鏡）１３により偏向される。ポリゴンミラー１３により反射されたレーザ光Ｌは、感光体４の露光面上におけるレーザ光Ｌの走査の線速度を一定にする特性を有するｆ−θレンズ１４を介して、反射ミラー１５で反射され、副走査方向に回転する感光体４上を主走査方向に走査される。感光体４上の走査線は、理想的には、図２のように水平に走査されるべきであるが、実際には、例えば図３のように湾曲や傾斜等の歪みが生じる。走査線の歪みは各装置固有のものであり、個体差が存在する。走査線の歪みの対策としては、高価な光学部品を用いたり、光学部品の精密な微調整を行ったりすることが考えられるが、いずれも部品代や人件費などのコストがかさんでしまう。
【００１３】
そこで、走査線の歪みを低コストで対処するために、レーザ光の走査線の歪み特性に応じて、走査線の歪みを補正するように画像データをデジタル補正し、補正後の画像データに応じてレーザ光を射出させる。より詳しくは、湾曲や傾斜が生じている主走査ラインを複数領域に分割し、感光体上で走査されたときに基準線に近づけるように、各領域の画像データを副走査方向に画像データのライン単位でシフトさせることで歪み補正を行う。これにより、走査線の歪みが補正される。
【００１４】
図４は走査線の歪みを補正する画像処理部１０８のブロック図である。レーザユニット１は、入力された画像データに応じてレーザ光源１１からレーザ光を射出させる制御を行うレーザ出力制御部５０５を有する。レーザ光源１１及びレーザ出力制御部５０５は、感光体４Ｙ〜４Ｋに対応して４つ設けられている。また、レーザユニット１は、レーザ光が感光体４に走査されたときの走査線の歪み特性を表す走査線プロファイルを記憶するプロファイル記憶部５０４を有する。走査線プロファイルは、図５（ａ）に示すような水平の直線を表す画像データに応じてレーザ光を走査させたときの、図５（ｂ）に示すような走査線の歪み特性を表すデータであって、各主走査位置（ライン単位）における基準線からの副走査方向のずれ量を示す。走査線プロファイルは、感光体４Ｙ〜４Ｋに対応した４つのレーザ光源１１それぞれに対応づけられてプロファイル記憶部５０４に記憶されている。更に、レーザ光源１１はレーザ光源１１ａ及び１１ｂを有しているので、それぞれの走査線プロファイルがプロファイル記憶部５０４に記憶されている。
【００１５】
画像処理部１０８は、入力された画像データを一時的に記憶する画像記憶部５０１と、画像記憶部５０１に記憶された画像データを走査線プロファイルに応じて副走査方向にシフトさせる歪み補正部５０２を有する。歪み補正部５０２は、走査線プロファイルからもとめられる主走査方向の分割位置で分割された領域の画像データを、走査線プロファイルからもとめられるシフト量で副走査方向にライン単位でシフトさせる。分割位置・シフト量演算部５０３は、プロファイル記憶部５０４に記憶された走査線プロファイルに基づいて主走査方向の分割位置と副走査方向のライン単位のシフト量を演算し、分割位置とシフト量を歪み補正部５０２に供給する。図５（ｂ）に示す走査線プロファイルに基づいて、歪み補正部５０２は、図５（ａ）に示す画像データを図６（ａ）に示すように領域毎にシフトさせる。歪み補正部５０２は、シフト処理した画像データをレーザ出力制御部５０５へ入力し、画像データに応じたレーザ光を射出させる。これによって、レーザ光は図６（ｂ）に示すように基準線に乗るように（基準線に対する副走査方向のずれ量が１ライン未満となるように）歪み特性が補正された状態で走査される。
【００１６】
プロファイル記憶部５０４には、複数の主走査位置における副走査方向の基準線からの走査線の副走査方向のずれ量が記憶されている。図３に示される走査線の場合、主走査方向の中央から−１３５ｍｍの位置で基準線から副走査方向に−１４０μｍ、主走査方向の中央の位置（０ｍｍ）で基準線から−２５μｍ、主走査方向の中央から＋１３５ｍｍの位置で基準線から＋７０μｍずれている。この場合、主走査方向の−１３５ｍｍ、０ｍｍ、＋１３５ｍｍの位置におけるずれ量は専用の治具により測定され、プロファイル記憶部５０４にずれ量として−１４０μｍ、−２５μｍ、＋７０μｍが書き込まれる。分割位置・シフト量演算部５０３は、プロファイル記憶部５０４から読み出した主走査方向３点のずれ量に基づいて二次関数により全ての主走査位置のずれ量を演算する。但し、全ての主走査位置のずれ量の演算方法は二次関数に限られず、走査線の湾曲や傾斜によっては一次関数や三次以上の複数次関数によってもとめてもよい。また、プロファイル記憶部５０４に記憶されるずれ量は３点に限られず、２点以上の複数位置のずれ量でもよい。なお、主走査方向の複数位置におけるずれ量から複数位置以外の位置のずれ量を演算する代わりに、プロファイル記憶部５０４に主走査方向の全位置のずれ量を記憶しておくようにしてもよい。
【００１７】
本実施形態では２つのレーザ光源を有しているため、それぞれのレーザ光源による走査線の歪みをそれぞれの走査線プロファイルに基づいて補正する。まず、２つのレーザ光源による走査線の湾曲及び傾斜が同一であった場合の歪み補正について説明する。レーザ光源１１ａ，１１ｂの走査線が図７（ａ）に示すような傾斜を有する場合、図７（ｂ）に示すように主走査方向の分割位置がもとめられ、分割された領域の画像データがライン単位で副走査方向にシフトされる。１本の水平な線を表す画像データは、図７（ｂ）の黒色の傾斜した帯に示すように副走査方向にライン単位でシフト処理され、レーザ光源１１ａとレーザ光源１１ｂによって交互にレーザ光に変換される。ここで、２つのレーザ光源の走査線のプロファイルは同一であるため、レーザ光源１１ａの走査線の分割位置とレーザ光源１１ｂの走査線の分割位置は同一である。
【００１８】
しかし、一般的には、２つのレーザ光源からの２つのレーザ光が光学部材を通過する位置がそれぞれ異なるため、２つのレーザ光源の走査線のプロファイルは同一ではない（つまり、２つのレーザ光源の走査線の歪み特性が互いに異なる）。ここで、２つのレーザ光源による走査線の湾曲または傾斜あるいは両方が異なる場合の歪み補正の課題について説明する。レーザ光源１１ａ，１１ｂの走査線が図８（ａ）に示すような互いに異なる傾斜を有する場合、図８（ｂ）に示すように、レーザ光源１１ａの走査線の分割位置ａ（１）〜ａ（５）及びレーザ光源１１ｂの走査線の分割位置ｂ（１）〜ｂ（５）がそれぞれもとめられる。そして、分割された領域の画像データをライン単位で副走査方向にシフトする処理がレーザ光源１１ａ及びレーザ光源１１ｂそれぞれについて行われ、レーザ光源１１ａとレーザ光源１１ｂによって交互にレーザ光に変換される。しかし、２つのレーザ光源の走査線の分割位置が互いに異なるため、レーザ光が照射されないために画像が部分的に欠落する領域（図８のａ（１）ｂ（１）間）やレーザ光が重複して照射されるために画像が部分的に太くなる領域（図８のａ（２）ｂ（２）間）が発生してしまう。図８（ｂ）では、レーザ光が照射されない主走査領域は、ａ（１）ｂ（１）間、ａ（３）ｂ（３）間、ａ（５）ｂ（５）間であり、レーザ光が重複して照射される主走査領域は、ａ（２）ｂ（２）間、ａ（４）ｂ（４）間である。
【００１９】
そこで、本実施形態では、図９に示すように、レーザ光源１１ａの走査線の分割位置ａ（ｎ）及びレーザ光源１１ｂの走査線の分割位置ｂ（ｎ）に基づいて、レーザ光源１１ａ、１１ｂ共通の分割位置ｍ（ｎ）をもとめ、分割された領域の画像データをライン単位で副走査方向にシフトする。図９では、ｎは０から６の整数である。図４を用いて具体的に説明する。分割位置・シフト量演算部５０３ａは、プロファイル記憶部５０４に記憶されたレーザ光源１１ａの走査線プロファイルに基づいて、基準線と走査線の副走査方向の誤差が±１ライン以内になるように、主走査方向の分割位置ａ（ｎ）と各分割領域における副走査方向のライン単位のシフト量を演算する。同様に、分割位置・シフト量演算部５０３ｂは、プロファイル記憶部５０４に記憶されたレーザ光源１１ｂの走査線プロファイルに基づいて、主走査方向の分割位置ｂ（ｎ）と各分割領域における副走査方向のライン単位のシフト量を演算する。
【００２０】
分割位置・シフト量演算部５０３ａ，５０３ｂは主走査方向の分割位置ａ（ｎ），ｂ（ｎ）を共通分割位置演算部５０３ｃへ入力する。共通分割位置演算部５０３ｃは、主走査方向の分割位置ａ（ｎ）とｂ（ｎ）に基づいて共通分割位置ｍ（ｎ）をそれぞれのｎについて演算する。例えば、共通分割位置演算部５０３ｃは、ｍ（ｎ）＝（ａ（ｎ）＋ｂ（ｎ））／２により、分割位置ａ（ｎ）とｂ（ｎ）の平均値を共通分割位置ｍ（ｎ）とする。共通分割位置演算部５０３ｃは共通分割位置ｍ（ｎ）を歪み補正部５０２ａ，５０２ｂへ入力する。分割位置・シフト量演算部５０３ａは、各分割領域における副走査方向のシフト量を歪み補正部５０２ａへ入力し、分割位置・シフト量演算部５０３ｂは、各分割領域における副走査方向のシフト量を歪み補正部５０２ｂへ入力する。
【００２１】
歪み補正部５０２ａは画像記憶部５０１から画像データを読み出し、共通分割位置ｍ（ｎ）で示されるそれぞれの分割領域毎に画像データを各分割領域に対応したシフト量で副走査方向にシフトし、奇数番目のラインの画像データのみをレーザ出力制御部５０５ａへ入力する。歪み補正部５０２ｂは画像記憶部５０１から画像データを読み出し、共通分割位置ｍ（ｎ）で示されるそれぞれの分割領域毎に画像データを各分割領域に対応したシフト量で副走査方向にシフトし、偶数番目のラインの画像データのみをレーザ出力制御部５０５ｂへ入力する。レーザ出力制御部５０５ａは、入力された奇数番目のラインの画像データに基づいてレーザ光源１１ａを駆動してレーザを発光させる。レーザ出力制御部５０５ｂは、入力された偶数番目のラインの画像データに基づいてレーザ光源１１ｂを駆動したレーザを発光させる。
【００２２】
図１０は、分割位置・シフト量演算部５０３ａが行う処理のフローチャートである。まず、演算部５０３ａはプロファイル記憶部５０４からレーザ光源１１ａのプロファイル情報を読み出し（Ｓ１）、プロファイル情報に基づいて二次関数により主走査方向の全位置（ｘ＝１〜Ｘ）について基準線からの副走査方向のずれ量ｄ（ｘ）を算出する（Ｓ２）。ここで、ｘ＝０は主走査方向の中央の位置から−１３５ｍｍの位置、ｘ＝Ｘは主走査方向の中央の位置から＋１３５ｍｍの位置に対応する。次に演算部５０３ａは変数ｘ及び変数ｎに０を代入する（Ｓ３）。そして、演算部５０３ａは変数ｘを１増加させ（Ｓ４）、シフト量ｓ（ｘ）＝−１×ＩＮＴ（（ｄ（ｘ）＋ｄｕ／２）／ｄｕ）を演算する（Ｓ５）。ここで、関数ＩＮＴは正または負の数値をそれよりも小さく最も近い整数にする関数である。また、ｄｕは１ライン幅であり、本実施形態では４２μｍとする。次に演算部５０３ａは変数ｘが１の場合（Ｓ６）、分割位置ａ（ｎ）にｘを代入する（Ｓ７）。そして演算部５０３ａは変数ｘがＸでない場合（Ｓ８）、ステップＳ４へ戻り、次の位置のシフト量ｓ（ｘ）を演算する。ステップＳ６で変数ｘが１以外でｓ（ｘ−１）＝ｓ（ｘ）の場合（Ｓ７）、ステップＳ８へ進む。ステップＳ７でｓ（ｘ−１）≠ｓ（ｘ）の場合、演算部５０３ａは変数ｎを１増加させ（Ｓ８）、分割位置ａ（ｎ）をｘ−１とし（Ｓ９）、ステップＳ８へ進む。ステップＳ８で変数ｘがＸの場合、演算部５０３ａは変数ｎを１増加させ、変数Ｎをｎとする（Ｓ９）。そして、演算部５０３ａは分割位置ａ（ｎ）をＸとする（Ｓ１０）。最後に演算部５０３ａはｘ＝１〜Ｘについてシフト量ｓ（ｘ）を歪み補正部５０２ａへ入力し（Ｓ１１）、ｎ＝０〜Ｎについて分割位置ａ（ｎ）を共通分割位置演算部５０３ｃへ入力する（Ｓ１２）。分割位置・シフト量演算部５０３ｂも上述と同様の処理を行う。共通分割位置演算部５０３ｃはｎ＝０〜Ｎについて分割位置ｍ（ｎ）＝（ａ（ｎ）＋ｂ（ｎ））／２をもとめ、分割位置ｍ（ｎ）を歪み補正部５０２ａ，５０２ｂへ入力する。歪み補正部５０２ａはｎ＝０〜Ｎ−１について分割位置ｍ（ｎ）から分割位置ｍ（ｎ＋１）の分割領域の画像データを、シフト量ｓ（（ｍ（ｎ）＋ｍ（ｎ＋１））／２）だけ副走査方向へシフトさせる。
【００２３】
以上説明したように、本実施形態によれば、２つのレーザ光源に共通の分割位置をもとめ、分割された領域の画像データをライン単位で副走査方向にシフトするので、２つのレーザ光源の歪み補正をそれぞれのプロファイルに応じて補正しても、画像が部分的に欠落したり太ったりすることがない。特に、２つのレーザ光源に共通の分割位置を、それぞれのレーザ光源の歪み特性からもとめた分割位置の平均位置とするので、両方のレーザ光源に適したシフト処理が可能な分割位置とすることができる。例えば、一方のレーザ光源の歪み特性からもとめた分割位置を他方のレーザ光源の分割位置とした場合、他方のレーザ光源の走査線の基準線に対する誤差が大きくなってしまう場合があるが、本実施形態では一方のレーザ光源の走査線の基準線に対する誤差が大きくなってしまうことがない。
【００２４】
なお、上述の実施形態では、２つのレーザ光源それぞれの分割位置を歪み特性からもとめたが、２つのレーザ光源それぞれの分割位置が固定的である場合でも、２つのレーザ光源に共通の分割位置とすることで本発明の効果を奏することが可能である。
【００２５】
また、上述の実施形態では、２つのレーザ光源を有する画像形成装置であったが、３つ以上のレーザ光源を有する画像形成装置にも適用することができる。
【００２６】
また、上述の実施形態では、画像処理部１０８が画像形成装置１００の内部にある構成であったが、これに限られるものではなく、画像処理部１０８の機能を実行するプログラムがパーソナルコンピュータに読み込まれることによって、パーソナルコンピュータが画像処理部１０８の機能を実行するようにしてもよい。
【符号の説明】
【００２７】
１１  レーザ光源
５０２  歪み補正部
５０３  分割位置・シフト量演算部
５０４  プロファイル記憶部
５０５  レーザ出力制御部
【図１】
0005656557.tif 000002
【図２】
0005656557.tif 000003
【図３】
0005656557.tif 000004
【図４】
0005656557.tif 000005
【図５】
0005656557.tif 000006
【図６】
0005656557.tif 000007
【図７】
0005656557.tif 000008
【図８】
0005656557.tif 000009
【図９】
0005656557.tif 000010
【図１０】
0005656557.tif 000011